(57)【特許請求の範囲】
【請求項１】
フェルトペンを使って情報を書き込んだり、書き込まれた情報を消し去ることができる手書き用ボードであって、
前記手書き用ボードが、
平板状の基材と、
この基材の表面に、前記手書き用ボードの板面色に対応した色の下地用塗料を塗装して形成される下地層と、
この下地層の上にクリア塗料を塗装して形成されるクリア層と、
このクリア層の上に艶消しクリア塗料を塗装して形成される艶消しクリア層とからなるボード部材を有することを特徴とする手書き用ボード。
【請求項２】
前記艶消しクリア塗料は、前記クリア塗料に非晶質二酸化ケイ素の粉末を混合したものであることを特徴とする請求項１記載の手書き用ボード。
【請求項３】
前記下地層は、同一塗料を塗装する工程を複数回繰り返して形成されることを特徴とする請求項２記載の手書き用ボード。
【請求項４】
前記基材の裏面には、さび止め層がさらに形成されることを特徴とする請求項３記載の手書き用ボード。
【発明の詳細な説明】
【技術分野】
【０００１】
本発明は、チョークやフェルトペンを使って情報を書き込んだり、書き込まれた情報を消し去ることができる手書き用ボードに関する。
【背景技術】
【０００２】
一般に、店舗などにおいて、店頭の宣伝・案内の情報や、店内の商品案内などの諸情報（いわゆる「ポップ」）をホワイトボードやブラックボードなどの手書き用ボードに書き込んで提示することが、よくなされている。
【０００３】
このような手書き用ボードに情報を書き込む際には、チョークや水性マーカーのような専用のフェルトペンが使われることが多く、書き込まれた情報を消し去る際には、水で濡らした布や専用のクリーナが用いられることが多い。
【０００４】
また、手書き用ボードは、その板面に情報を書き込んだり、書き込んだ情報を消し去ることを手軽に行えるため、手書き用ボードに対して情報を書き込んだり消し去ることが頻繁に起こり、ある程度の耐久性を持たせるために、板面を仕上げる塗料として塗膜の硬度が高い塗料（いわゆる鉛筆硬度が３Ｈ以上のもの）が使われることが多い。
【０００５】
また、板面に書き込んだ情報をきれいに消し去るためには、その表面を平滑にする必要があり、そのため、通常、手書き用ボードの板面は平滑でかつ光沢があるものとなっていた（特許文献１参照）。
【先行技術文献】
【特許文献】
【０００６】
【特許文献１】特開２０１２−０７６３５６号公報
【発明の概要】
【発明が解決しようとする課題】
【０００７】
ところが、従来の手書き用ボードは、上述のように、その板面に光沢があるために外光を良好に反射する。そのため、その反射光（外乱光）までが書き込み内容を見る人の視界に入るため板面がテカり、書き込んだ内容を確認する際の妨げとなることがしばしば生じていた。
【０００８】
この発明は、かかる実情に鑑みてなされたものであり、書き込み内容をより良好に確認することができる手書き用ボードを提供することを目的とする。
【課題を解決するための手段】
【０００９】
この発明は、フェルトペンを使って情報を書き込んだり、書き込まれた情報を消し去ることができる手書き用ボードであって、前記手書き用ボードが、平板状の基材と、この基材の表面に、前記手書き用ボードの板面色に対応した色の下地用塗料を塗装して形成される下地層と、この下地層の上にクリア塗料を塗装して形成されるクリア層と、このクリア層の上に艶消しクリア塗料を塗装して形成される艶消しクリア層とからなるボード部材を有するものである。
【００１０】
また、前記艶消しクリア塗料は、前記クリア塗料に非晶質二酸化ケイ素の粉末を混合したものである。
また、前記下地層は、同一塗料を塗装する工程を複数回繰り返して形成されるものである。
また、前記基材の裏面に、さらにさび止め層を形成したものである。
【発明の効果】
【００１１】
以上説明したように、本発明によれば、板面の最も表の面が艶消しに形成されたマット面となり、書き込み内容をより良好に視認することができる。効果の詳細は、後述する。
【図面の簡単な説明】
【００１２】
【図１】図１（ａ）は、本発明の一実施例にかかる手書き用ボードＷＢの構成例を示す平面図であり、同図（ｂ）は、本発明の一実施例にかかる手書き用ボードＷＢの構成例を示す側面図であり、同図（ｃ）は、手書き用ボードＷＢの書込面部材ＷＷの構成例を示す概略断面図である。
【図２】本発明の一実施例にかかるボード部材ＢＤの断面構造の一例を示した概略断面図である。
【図３】ボード部材ＢＤを製造する際の手順の一例を示したフローチャートである。
【図４】ボード部材ＢＤを形成する各層の塗料の一覧を示した表である。
【発明を実施するための形態】
【００１３】
以下、添付図面を参照しながら、この発明の実施の形態を詳細に説明する。
〔実施例〕
図１（ａ）は、本発明の一実施例にかかる手書き用ボードＷＢの構成例を示す平面図であり、同図（ｂ）は、本発明の一実施例にかかる手書き用ボードＷＢの構成例を示す側面図であり、同図（ｃ）は、手書き用ボードＷＢの書込面部材ＷＷの構成例を示す概略断面図である。
【００１４】
図１（ａ），（ｂ）に示すように、手書き用ボードＷＢは、平板状の書込面部材ＷＷの四周を枠部材ＦＬで囲って閉止した構成を有する。ここで、書込面部材ＷＷの板面の色（板面色）が白色の場合、この手書き用ボードＷＢはホワイトボードと称され、また、書込面部材ＷＷの板面色が黒色の場合、この手書き用ボードＷＢはブラックボードと称される。
【００１５】
また、図１（ｃ）に示すように、書込面部材ＷＷは、情報を書き込むための板面を構成するボード部材ＢＤの裏面側に、書込面部材ＷＷの平面度を確保するとともに、手書き用ボードＷＢの強度を確保するための芯部材ＤＢを設け、さらに、芯部材ＤＢの書込面部材ＷＷとは反対の面には、手書き用ボードＷＢの裏面の意匠のための化粧板部材ＢＧが設けられている。
【００１６】
ここで、芯部材ＤＢとしては、例えば、必要な強度と平面度とを有する段ボール紙を用いることができる。また、化粧板部材ＢＧとしては、例えば、手書き用ボードＷＢの裏面を均一な白色で仕上げる場合には、表面が白色の厚紙などを用いることができる。このように、芯部材ＤＢに段ボール紙を用い、化粧板部材ＢＧに厚紙を用いることで、手書き用ボードＷＢを軽量化することができる。さらに、化粧板部材ＢＧに、手書き用ボードＷＢを壁面に取り付ける際に用いる壁掛け用の紐（図示略）を設けたり、壁掛け用の紐を係止するための金具（図示略）、あるいは、壁に設けたフック（図示略）に係止するための金具（図示略）などを設けるようにしても良い。
【００１７】
また、製品としての手書き用ボードＷＢは、例えば、Ａ４サイズやＡ３サイズなどの定型サイズであったり、より大きな任意のサイズ（例えば、縦６０ｃｍ横９０ｃｍ、縦９０ｃｍ横２１０ｃｍなど）の書込面サイズ（書込面部材ＷＷのサイズ）に形成されることが多い。
【００１８】
また、壁掛け用途以外にも、自立フレームを設けて、床面に自立させることができるようにしたものや、さらにキャスターなどを設けて床面上を容易に移動できるようにしたもの、あるいは、書込面部材ＷＷに予定表用の罫線などを印刷したものなどが実用されている。また、枠部材ＦＬとしては、樹脂製やアルミ製のものなどが用いられることが多い。
【００１９】
図２は、本発明の一実施例にかかるボード部材ＢＤの断面構造の一例を示したものである。なお、同図では、断面の層構造を示すことを目的としており、図示した各層の厚さ寸法は、必ずしも実際の各層における厚さ寸法には対応していない。
【００２０】
同図において、ボード部材ＢＤの基材１は、例えば、厚さ寸法が０．２ｍｍ程度の鉄板などの板状の金属材料からなり、その裏面には、さび止め層２が形成されている。また、基材１の表面（ボード部材ＢＤの書込側の面）には、ボード部材ＢＤの板面の色を決定する下地層３が形成されており、この下地層３の上には、ボード部材ＢＤの板面を平滑に保つためのクリア層４が形成され、このクリア層４の上には、ボード部材ＢＤの板面をマット調に仕上げるための艶消しクリア層５が形成されている。
【００２１】
ここで、下地層３が、第１の下地層３Ａと、この第１の下地層３Ａの上に積層される第２の下地層３Ｂの２層から形成されている理由は、主に、ピンホール防止のためと、フロー及び色相合わせのためである。
また、予定表用の罫線などを印刷する場合には、下地層３の上にその印刷がなされる。
【００２２】
図３は、ボード部材ＢＤを製造する際の手順の一例を示し、図４は、ボード部材ＢＤを形成する各層の塗料の一覧を示している。
【００２３】
まず、塗料名「ＳＫ−ＫＣ金ニス」をさび止め層２の塗料として、基材１の裏面に塗装し、乾燥する（手順１０１）。
次に、下地層３を塗装する。ここで、ボード部材ＢＤとして板面白色のホワイトボードのボード部材ＢＤを製造する際には、塗料名「ＳＫ−ＴＦＺ白板用ホワイト」の塗料を塗装・乾燥し、それを２回繰り返し行う（手順１０２，１０３）。一方、ボード部材ＢＤとして板面黒色のブラックボードのボード部材ＢＤを製造する際には、塗料名「ＳＫ−９６−６Ａ黒」の塗料を塗装・乾燥し、それを２回繰り返し行う（手順１０２，１０３）。
【００２４】
このようにして、下地層３の塗装・乾燥を終了すると、次に、仕上げのクリア層４として、塗料名「ＳＫ−７８０−７１」を塗装・乾燥する（手順１０４）。
そして、最後に、マット調の効果を出すための艶消しクリア層５として、塗料名「ＳＫ−７８０−７１Ｙマット」を塗装・乾燥する（手順１０５）。
以上のような手順１０１〜１０５の工程を経て、ボード部材ＢＤが製造される。
なお、上記のように、予定表用の罫線などを印刷する場合には、下地層３の上に罫線などをあらわす印刷パターンを印刷する塗料からなる印刷パターン層（図示略）を塗装・乾燥する手順を追加すると良い。
【００２５】
ここで、図３に示したボード部材ＢＤを製造する各手順（印刷パターン層を塗装・乾燥する手順を含む）において、「塗装・乾燥」は、いわゆる焼き付け塗装の工程であり、塗装は、鉄板等の平板な部材を均一に塗装する際に一般的に用いられるオフセット印刷方法を採用して行う。また、乾燥時（焼付時）における温度と時間については、図４に「焼付温度（時間）」の項目で示した温度と時間が適用される。
【００２６】
また、図４に示したそれぞれの塗料名は、桜宮化学（株）の製品名であり、それぞれは焼き付け塗装に好適な種類の塗料である。そして、クリア層４に用いる塗料名「ＳＫ−７８０−７１」の塗料は、アクリルアミノ樹脂系の塗料であり、艶消しクリア層５に用いる塗料名「ＳＫ−７８０−７１Ｙマット」の塗料は、塗料名「ＳＫ−７８０−７１」の塗料に、艶消し剤として非晶質二酸化ケイ素（ＣＡＳ Ｎｏ．６３２３１−６７−４）の粉末を所定の割合（上限が１０％（重量パーセント濃度））で混合（添加）してなるものである。
【００２７】
また、図４に示した「塗膜量」は、１平方メートル当たりに塗布する塗料の重さをミリグラム単位で表したものである。また、図４に示した「溶剤種別」における「Ｖ溶剤」と「Ｅ溶剤」は、対応する塗料を薄める際に用いるものであって、おのおのの塗料に好適な成分を有する。この場合には、塗料に応じて「Ｖ溶剤」と「Ｅ溶剤」の２種類のいずれかの溶剤が用いられている。なお、「Ｖ溶剤」と「Ｅ溶剤」の名称は、いわゆる通称名である。
【００２８】
以上のように、本実施例の手書き用ボードＷＢは、その書込面部材ＷＷの板面が艶消しのマット面であるため、板面からの反射光が少なく、板面のテカリが非常に少ないので、フェルトペンで情報を書き込んだ際、その書込内容を見た人は、非常に明瞭に書込内容を視認することができ、そのために、書き込んだ内容を効果的に提示することができるという優れた効果を奏する。
また、書込面部材ＷＷの基材１が０．２ｍｍの鉄板からなり、磁石を着磁するので、磁石を用いて資料を手書き用ボードＷＢの板面に止める等することができ、非常に便利である。
【００２９】
〔変形例〕
ところで、上述した実施例における手書き用ボードＷＢの書込面部材ＷＷの板面色は、白色または黒色であったが、それ以外にも、緑色あるいは濃い青色（いわゆるネイビー色）や淡い彩色など、適宜な色に設定することができる。その場合、第１の下地層３Ａ及び第２の下地層３Ｂに用いる塗料としては、板面色の色に対応した発色のものを用いると良い。また、書込面部材ＷＷの板面の色調の設計に合わせて、第１の下地層３Ａに用いる塗料の色味と第２の下地層３Ｂに用いる塗料の色味を変えるようにすることもできる。
また、上述した実施例では、さび止め層２の塗料として塗料名「ＳＫ−ＫＣ金ニス」を用いているが、例えば、いわゆる銀ニスなど、それ以外の適宜なさび止め剤を用いることもできる。
【００３０】
また、以上述べてきた各実施形態の構成及び変形例は、矛盾しない範囲で適宜組み合わせて適用することも可能である。
【産業上の利用可能性】
【００３１】
本発明は、手書き用ボード以外にも、例えば、学校の教室などで使用される黒板などに適用することができる。その場合、板面がマット面であるから、板面の色にかかわらず、プロジェクタの映像を板面上に明瞭に映写することができ、例えば、電子化された教科書等（以下、「電子教科書等」という）の内容を板面上に表示させ、その表示内容にフェルトペンで説明などを適宜に書き込むことができるので、電子教科書等を利用した効果的な授業を実現することができる。
【符号の説明】
【００３２】
１  基板
２  さび止め層
３  下地層
３Ａ  第１の下地層
３Ｂ  第２の下地層
４  クリア層
５  艶消しクリア層
ＷＢ  手書き用ボード
ＷＷ  書込部材
ＦＬ  枠部材
ＢＤ  ボード部材
ＤＢ  芯部材
ＢＧ  化粧板部材
【図１】
0005642732.tif 000002
【図２】
0005642732.tif 000003
【図３】
0005642732.tif 000004
【図４】
0005642732.tif 000005